(57)【要約】      （修正有）【課題】ミシン針を好適に取り出すことができるミシン針収納ケースを実現する。【解決手段】ミシン針８の尖端部８ａ側を収容する複数の針収容部２をケース本体１内に備えるとともに、それら針収容部２に収容されているミシン針８の基端部８ｂをケース本体１の内側の収納位置１０ａに収めて収納しているミシン針収納ケース１０において、切替手段としての第１スライダ３、第２スライダ４、支持軸５、バネ部材６の機能や作用に伴い、針収容部２の配置を切り替えることによって、その配置が切り替えられた針収容部２が収容しているミシン針８の基端部８ｂをケース本体１の外側の開放位置に露出させる構成にした。【選択図】図３
2007253954.tif 000002
【特許請求の範囲】
【請求項１】
ミシン針をケース本体内に収納するミシン針収納ケースであって、
複数のミシン針を並べて配するように、各ミシン針の尖端部側を個別に収容するとともに前記ミシン針の基端部を前記ケース本体の内側の収納位置に収める複数の針収容部と、
前記ミシン針の基端部を前記ケース本体の外側の上方に立設する開放位置に露出させるように、前記針収容部の少なくとも一本のミシン針を回動する切替手段と、
を備えることを特徴とするミシン針収納ケース。
【請求項２】
前記切替手段により配置が切り替えられた前記ミシン針の針収容部は、前記ミシン針の基端部を前記収納位置に収めている他のミシン針の前記針収容部に対して交差する方向に、その配置が切り替えられることを特徴とする請求項１に記載のミシン針収納ケース。
【請求項３】
前記開放位置に露出された前記ミシン針の基端部を垂直に保持することを特徴とする請求項１又は２に記載のミシン針収納ケース。
【発明の詳細な説明】
【技術分野】
【０００１】
本発明は、ミシン針を収納するミシン針収納ケースに関する。
【背景技術】
【０００２】
従来、複数のミシン針を配列して収納する容器に窓部を設け、その容器内に収納されているミシン針の本数を確認しやすくしたミシン針収納ケースが知られている（例えば、特許文献１参照。）。
【０００３】
また、図７（ａ）、（ｂ）に示すように、複数のミシン針８を配列して収納する収納容器１００と、その収納容器１００を内部に収容する外容器２００とからなり、その収納容器１００の一部が揺動することによって、ミシン針８の後端側である基端支持部８ｂを摘みやすくしたミシン針収納ケース５０が知られている。
【特許文献１】特開２００３−１２８１７３号公報
【発明の開示】
【発明が解決しようとする課題】
【０００４】
しかしながら、上記従来技術の場合、ミシン針収納ケースに複数のミシン針が近接して並んでいるため、摘んで取り出そうとするミシン針以外のミシン針がその取り出しの妨げになることがあった。
【０００５】
本発明の目的は、ミシン針を好適に取り出すことができるミシン針収納ケースを提供することである。
【課題を解決するための手段】
【０００６】
以上の課題を解決するため、請求項１に記載の発明は、ミシン針をケース本体内に収納するミシン針収納ケースであって、複数のミシン針を並べて配するように、各ミシン針の尖端部側を個別に収容するとともにミシン針の基端部をケース本体の内側の収納位置に収める複数の針収容部と、ミシン針の基端部をケース本体の外側の上方に立設する開放位置に露出させるように、針収容部の少なくとも一本のミシン針を回動する切替手段と、を備えることを特徴とする。
【０００７】
請求項１に記載の発明によれば、ミシン針収納ケースは、ミシン針の尖端部側を収容する針収容部を複数ケース本体内に備えるとともに、それら針収容部に収容されているミシン針の基端部をケース本体の内側の収納位置に収めて収納している。そして、切替手段により針収容部の配置を切り替えることによって、その配置が切り替えられた針収容部が収容しているミシン針の基端部をケース本体の外側の開放位置に露出させることができる。
【０００８】
請求項２に記載の発明は、請求項１に記載のミシン針収納ケースにおいて、切替手段により配置が切り替えられたミシン針の針収容部は、ミシン針の基端部を収納位置に収めている他のミシン針の針収容部に対して交差する方向に、その配置が切り替えられることを特徴とする。
【０００９】
請求項２に記載の発明によれば、請求項１に記載の発明と同様の作用を奏するとともに、切替手段により配置が切り替えられた針収容部は、それ以外の針収容部であってミシン針の基端部を収納位置に収めている針収容部に対して交差する方向に、その配置が切り替えられるので、その配置が切り替えられた針収容部に収容されるミシン針の基端部のみを所定の方向に向けることができ、それ以外のミシン針と容易に区別することができる。
【００１０】
請求項３に記載の発明は、請求項１又は２に記載のミシン針収納ケースにおいて、開放位置に露出されたミシン針の基端部を垂直に保持することを特徴とする。
【００１１】
請求項３に記載の発明によれば、請求項１又は２に記載の発明と同様の作用を奏するとともに、ミシン針収納ケースは、そのミシン針収納ケースにおける開放位置に露出されたミシン針の基端部を垂直に保持して、所定のミシンの針棒における針装着位置に対して案内することができる構成をとっている。
【発明の効果】
【００１２】
請求項１に記載の発明によれば、ミシン針収納ケースは、ミシン針の尖端部側を収容する針収容部を複数ケース本体内に備えるとともに、それら針収容部に収容されているミシン針の基端部をケース本体の内側の収納位置に収めて収納している。そして、切替手段により針収容部の配置を切り替えることによって、その配置が切り替えられた針収容部が収容しているミシン針の基端部をケース本体の外側の開放位置に露出させることができる。
つまり、複数の針収容部のうち、少なくとも１つの針収容部の配置を切り替え、その針収容部が収容しているミシン針の基端部をケース本体の外側の開放位置に露出させることによって、そのミシン針の基端部を掴み易くすることで、そのミシン針をミシン針収納ケースから容易に取り出すことが可能になる。
よって、このミシン針収納ケースに収納されているミシン針であって、針収容部に収容されているミシン針を好適に取り出すことができる。
【００１３】
請求項２に記載の発明によれば、切替手段により配置が切り替えられた針収容部は、それ以外の針収容部であってミシン針の基端部を収納位置に収めている針収容部に対して交差する方向にその配置が切り替えられるので、その配置が切り替えられた針収容部に収容されるミシン針の基端部のみを所定の方向に向けることができ、それ以外のミシン針と容易に区別することができる。
つまり、ミシン針収納ケースに収納されている複数のミシン針の中から、所望するミシン針を収容する針収容部の配置を切り替えることによって、そのミシン針を容易に取り出すことができる。
【００１４】
請求項３に記載の発明によれば、ミシン針収納ケースは、そのミシン針収納ケースにおける開放位置に露出されたミシン針の基端部を垂直に保持して、所定のミシンの針棒における針装着位置に対して案内することができる構成となっているので、ミシン針の尖端部を針収容部に収容した状態で、そのミシン針の基端部をミシンの針棒の針装着位置に対して取り付けることができる。つまり、作業者が直接ミシン針に触れることなく、そのミシン針をミシンにおける針装着位置に取り付けることができる。
このようにミシン針の尖端部を針収容部に収容した状態で、作業者がミシン針に触れることなく、そのミシン針をミシンの針棒の針装着位置に取り付けることによって、ミシン針の取り付け作業を行う際に、ミシン針の尖端部を指などに刺してしまうトラブルを防止することができる。
【発明を実施するための最良の形態】
【００１５】
以下、図面を参照して、本発明に係るミシン針収納ケースに関する実施形態について詳細に説明する。
図１は、ミシン針収納ケース１０の平面図、図２は図１のII−II線における断面図、図３は図１のIII−III線における断面図である。
【００１６】
図１〜図３に示すように、ミシン針収納ケース１０は、ケース本体１と、ミシン針８を収容する複数（本実施形態では、３つ）の針収容部２と、各針収容部２に対して備えられる第１スライダ３と、第１スライダ３に対して着脱可能に備えられる第２スライダ４と、各針収容部２をケース本体１に軸支する支持軸５と、各針収容部２とケース本体１との間に介在するバネ部材６と、を備えている。
なお、第１スライダ３、第２スライダ４、支持軸５、バネ部材６とにより切替手段が構成されている。
【００１７】
ケース本体１は、略直方体形状を呈する筐体であり、上面側に上開口部１ａ、下面側に下開口部１ｂを有するとともに、ケース本体１内における各針収容部２間を仕切る壁部１ｃ等を有している。
【００１８】
針収容部２は、ミシン針８の先端側である尖端部８ａを収容する収容穴２ａを有しており、ケース本体１内に並列するように配されている。
そして、ミシン針８が針収容部２の収容穴２ａに収容された際、ミシン針８の後端側である基端部８ｂは、針収容部２から上方に垂直に突出するように保持されている。なお、ミシン針８の尖端部８ａと基端部８ｂとの間に形成されているテーパ部８ｃが、収容穴２ａの内面に食い込むように密着することによって、ミシン針８が針収容部２に保持されることとなる。
また、針収容部２は、針収容部２やその針収容部２に収容されるミシン針８の長手方向と交差する方向（例えば、直交する方向）に延在する支持軸５によってケース本体１に軸支されており、各針収容部２がそれぞれ支持軸５を軸心として回動可能にケース本体１に備えられている。
【００１９】
第１スライダ３は、ケース本体１に形成されている嵌合溝に嵌め込まれるとともに、針収容部２の長手方向に沿ってスライド移動可能にケース本体１に備えられている。なお、第１スライダ３は、各針収容部２毎に備えられている。
また、第１スライダ３の一端部には、針収容部２の外面に形成されている凹部２ｂに係入する突起３ｂが形成されており、また、第１スライダ３の他端部には、第２スライダ４の係合部４ａと係合する被係合部３ａが形成されている。
【００２０】
第２スライダ４には、その一端部に第１スライダ３の被係合部３ａと係合する係合部４ａが形成されている。
この第２スライダ４は、ケース本体１に形成されている溝部１ｄを介して、針収容部２の長手方向と交差する方向であって支持軸５の軸方向にスライド移動可能に備えられており、その溝部１ｄを通じて移動した第２スライダ４の係合部４ａが、各針収容部２に対して備えられている第１スライド３の被係合部３ａと係合するようになっている。
そして、第２スライダ４と第１スライド３が係合した状態で、その第２スライダ４は第１スライド３とともに針収容部２の長手方向に沿ってスライド移動可能となっている。
【００２１】
支持軸５は、針収容部２やその針収容部２に収容されるミシン針８の長手方向と交差する方向（例えば、直交する方向）に延在する軸部材であり、針収容部２の収容穴２ａを避けるように、針収容部２を軸支してケース本体１に備えられている。
【００２２】
バネ部材６は、例えば、ねじりばね（トーションばね）であり、支持軸５を介して各針収容部２毎に備えられている。具体的には、バネ部材６は、バネ部材６のコイル部分に支持軸５が挿通されるとともに、そのコイル部分から延出するばねの一端部がケース本体１の内面に当接し、ばねの他端部が針収容部２のバネ固定部２ｃに取り付けられるように備えられている。
そして、バネ部材６は、針収容部２の収納穴２ａの開口が形成されている一方の端部をケース本体１の上面側（上開口部１ａ側）に配し、他方の端部をケース本体１の下面側（下開口部１ｂ側）に配する向きに針収容部２を回動させる付勢力を付与するようになっている。
【００２３】
このような構成を有するミシン針収納ケース１０において、図３に示すように、第１スライダ３をスライド移動させて、第１スライダ３の突起３ｂを針収容部２の凹部２ｂに係入すると、針収容部２に収容されているミシン針８の基端部８ｂがケース本体１の内側の収納位置１０ａに収まるように針収容部２が回動されて、針収容部２がミシン針８とともにケース本体１の内側に格納される。
具体的には、第１スライダ３が、図３中、右方向にスライド移動されると、第１スライダ３が針収容部２を、支持軸５を軸心に時計回りに回動させるように押し倒す。そして、ケース本体１内に針収容部２が押し倒されたことにより、針収容部２に収容されているミシン針８の基端部８ｂをケース本体１の内側の収納位置１０ａに収めるように、針収容部２の配置が切り替えられる。
なお、第１スライダ３の突起３ｂが針収容部２の凹部２ｂに係入されて、係合された状態では、第１スライダ３が針収容部２を押さえ込み、針収容部２がバネ部材６の付勢力によって起き上がらないようになっている。
【００２４】
また、図４に示すように、第１スライダ３の突起３ｂが針収容部２の凹部２ｂから離間する方向に、第１スライダ３をスライド移動させると、バネ部材６の付勢力によって、針収容部２の両端部がケース本体１の外側に現れるように回動されて、針収容部２に収容されているミシン針８の基端部８ｂがケース本体１の外側の開放位置１０ｂに露出される。つまり、針収容部２の収納穴２ａの開口が形成されている一方の端部を上開口部１ａ側から、他方の端部を下開口部１ｂ側からケース本体１の外側に露出するようになっている。
具体的には、第１スライダ３の突起３ｂと針収容部２の凹部２ｂとの係合を解除するように、第１スライダ３が、図４中、左方向にスライド移動されると、バネ部材６の付勢力によって、針収容部２が支持軸５を軸心に反時計回りに回動するように、針収容部２がケース本体１内から起き上がる。そして、バネ部材６の付勢力によって針収容部２が跳ね上げられるように起き上がることにより、針収容部２に収容されているミシン針８の基端部８ｂをケース本体１の外側の上方に立設する開放位置１０ｂに露出させるように、針収容部２を回動して配置が切り替えられる。
【００２５】
ここで、第２スライダ４と係合した第１スライダ３を選択的にスライド移動することによって、そのスライド移動された第１スライダ３に対応する針収容部２を選択的に起き上がらせることができる。つまり、複数の針収容部２のうち、その選択したミシン針の針収容部２の配置を、ミシン針８の基端部８ｂを収納位置１０ａに収めるようにケース本体１の内側に格納されている他のミシン針の針収容部２に対して交差する方向に切り替えることができる。
そして、その選択された針収容部２に収容されているミシン針８の基端部８ｂをケース本体１の外側の開放位置１０ｂに露出させることができるので、その開放位置１０ｂに一本だけ露出された基端部１０ｂを摘むようにして、ミシン針８を針収容部２から取り出すことができる。つまり、ミシン針収納ケース１０に収納されている複数のミシン針８の中から、所望するミシン針８を選択して容易に取り出すことが可能となっている。
【００２６】
特に、ミシン針収納ケース１０は、図５に示すように、ケース本体１の外側の開放位置１０ｂに露出されたミシン針８の基端部８ｂを、所定のミシンＭの針棒Ｂにおける針装着位置である針固定部Ａに対して案内することができる。
つまり、ミシン針収納ケース１０において、選択的に起き上がらされた針収容部２に収容されているミシン針８の基端部１０ｂを所定の開放位置１０ｂに垂直に露出することができるので、ミシン針８の尖端部１０ａを針収容部２に収容した状態で、そのミシン針８の基端部１０ｂをミシンＭの針棒Ｂにおける針固定部Ａに対して案内することができる。
そして、ミシン針８の尖端部１０ａを針収容部２に収容した状態で、そのミシン針８の基端部１０ｂを針固定部Ａにおける所定の取付孔に挿入し、所定のねじを締結することなどによってミシン針８の基端部１０ｂを針固定部Ａに固定して取り付けることができるので、作業者が直接ミシン針８に触れることなく、ミシン針８をミシンＭにおける針固定部Ａに取り付けることが可能となる。
このようにミシン針８の尖端部１０ａを針収容部２に収容した状態で、作業者がミシン針８に触れることなく、ミシン針８をミシンＭの針固定部Ａに取り付けることによって、ミシン針８の取り付け作業を行う際に、ミシン針８の尖端部８ａを指などに刺してしまうトラブルを防止することができる。
【００２７】
このように、本発明のミシン針収納ケース１０は、ケース本体１内に複数のミシン針８を並列に配置して収納することができる。そして、ケース本体１の上開口部１０ａからケース本体１内のミシン針８の基端部８ｂを視認して確認することができるので、ミシン針収納ケース１０（ケース本体１）内に収納されているミシン針８の本数を容易に確認することができる。
特に、第２スライダ４と係合した第１スライダ３を選択的にスライド移動することにより、そのスライド移動された第１スライダ３に対応する針収容部２を選択的に起き上がらせることによって、その針収容部２に収容されているミシン針８の基端部８ｂをケース本体１の外側の開放位置１０ｂに一本だけ露出させて、その基端部１０ｂを摘み易くすることができるので、ミシン針収納ケース１０（ケース本体１）内に収納されている複数のミシン針８から所望するミシン針８を好適に取り出すことができる。
【００２８】
また、このミシン針収納ケース１０は、ケース本体１の外側の開放位置１０ｂに露出されたミシン針８の基端部８ｂを、所定のミシンＭの針棒Ｂにおける針固定部Ａに対して案内することが可能であり、ミシン針８の尖端部１０ａを針収容部２に収容した状態で、そのミシン針８の基端部１０ｂを針固定部Ａに固定して取り付けることができるので、ミシン針８の取り付け作業時に、ミシン針８の尖端部８ａを指などに刺してしまうトラブルを低減することができる。
【００２９】
なお、本発明は上記実施形態に限られるものではない。
例えば、図６に示すように、ケース本体１１内に複数のミシン針８を収容するための複数の針収容部１２と、各針収容部１２に対して備えられるスライダ１３と、各針収容部１２をケース本体１１に軸支する支持軸（図示省略）と、各針収容部１２とケース本体１１との間に介在するバネ部材（図示省略）と、を備えるミシン針収納ケース２０であって、所望するスライダ１３を選択してスライド移動することにより、そのスライド移動されたスライダ１３に対応する針収容部１２を選択的に起き上がらせて、その針収容部１２に収容されているミシン針８の基端部８ｂをケース本体１１の外側の所定の開放位置に一本だけ露出させることを可能にするミシン針収納ケースであってもよい。
このようなミシン針収納ケース２０であれば、ミシン針収納ケース２０（ケース本体１１）内に収納されている複数のミシン針８から所望するミシン針８を容易に取り出すことができる。
また、このミシン針収納ケース２０におけるケース本体１１の外側の開放位置に露出されたミシン針８の基端部８ｂを、所定のミシンＭの針棒Ｂにおける針固定部Ａに対して案内することによって、ミシン針８の尖端部１０ａを針収容部２に収容した状態で、そのミシン針８の基端部１０ｂを針固定部Ａに固定して取り付けることができる。
【００３０】
なお、以上の実施の形態においては、ミシン針収納ケース１０（ケース本体１）内に収納するミシン針８が３本である場合を例示したが、本発明はこれに限定されるものではなく、ミシン針８の本数は任意の数であってよい。
【００３１】
また、その他、具体的な細部構造等についても適宜に変更可能であることは勿論である。
【図面の簡単な説明】
【００３２】
【図１】本発明に係るミシン針収納ケースを示す平面図である。
【図２】図１のII−II線における断面図である。
【図３】図１のIII−III線における断面図であり、ミシン針収納ケースの閉蓋状態を示している。
【図４】ミシン針収納ケースの開蓋状態を示す断面図である。
【図５】ミシン針をミシンの針棒に案内する状態を示す説明図である。
【図６】本発明におけるミシン針収納ケースの変形例を示す斜視図である。
【図７】従来のミシン針収納ケースを示す斜視図であり、そのケースの開蓋状態（ａ）と、閉蓋状態（ｂ）である。
【符号の説明】
【００３３】
１      ケース本体
１ａ    上開口部
１ｂ    下開口部
２      針収容部
２ａ    収容穴
３      第１スライダ（切替手段）
４      第２スライダ（切替手段）
５      支持軸（切替手段）
６      バネ部材（切替手段）
８      ミシン針
８ａ    尖端部
８ｂ    基端部
１０    ミシン針収納ケース
１０ａ  収納位置
１０ｂ  開放位置
１１    ケース本体
１２    針収容部
１３    スライダ（切替手段）
２０    ミシン針収納ケース
Ｍ      ミシン
Ｂ      針棒
Ａ      針固定部（針装着位置）
【図１】
2007253954.tif 000003
【図２】
2007253954.tif 000004
【図３】
2007253954.tif 000005
【図４】
2007253954.tif 000006
【図５】
2007253954.tif 000007
【図６】
2007253954.tif 000008
【図７】
2007253954.tif 000009